(57)【要約】【課題】友達などのグループ内の各人各々が選局する情報を相互に共有することができるようにすること。【解決手段】テレビジョン選局ガイドシステム１００は、テレビジョン受像機３２Ａの操作によりＩＤ登録を受け付けたコンピュータサーバ３１を備え、コンピュータサーバ３１は、テレビジョン受像機３２Ａのチャンネル操作により得られた選局情報ａを受信してチャンネル地域に応じた選局ガイドデータｂを他のテレビジョン受像機３２Ｂ（〜３２Ｎ）へ送信する。テレビジョン受像機３２Ｂ（〜３２Ｎ）は、テレビジョン受像機３２Ａから選局ガイドデータｂを受信して選局ガイド情報を生成し、この選局ガイド情報を表示手段５１に表示する。【選択図】図２
2010258986.tif 000002
【特許請求の範囲】
【請求項１】
テレビジョン受像機の操作によりユーザＩＤ登録を受け付けるコンピュータサーバを備え、
前記コンピュータサーバは、前記ユーザＩＤおよびテレビジョン受像機のチャンネル操作により得られた選局情報を受信する受信部と、前記選局情報を前記テレビジョン受像機の受信地域に対応したチャンネル地域コードに変換するチャンネル地域コードの変換手段と、前記選局情報に基づいて、選局ガイドデータを記憶する選局ガイドデータ記憶部と、前記テレビジョン受像機に前記選局ガイドデータおよび変換されたチャンネル地域コードを、前記テレビジョン受像機に送信する送信部を備え、
前記テレビジョン受像機は、前記選局情報を前記コンピュータサーバに送信する送信部と、前記選局ガイドデータおよびチャンネル地域コードを受信する受信部と、前記選局ガイドデータから選局ガイド情報を生成する選局ガイド情報生成部と、選局ガイド情報を表示可能に設けられる表示手段を備えたことを特徴とするテレビジョン選局ガイドシステム。
【請求項２】
前記コンピュータサーバは、登録されたテレビジョン受像機による選局情報を検知するために、友達をグループ分けして登録した選局者リストを保存する選局者リスト管理部を備えたことを特徴とする請求項1記載のテレビジョン選局ガイドシステム。
【請求項３】
前記コンピュータサーバの送信部は、選局者リスト管理部の選局者リストを参照して、選局ガイドデータを前記選局者リストに対応するテレビジョン受像機に送信することを特徴とする請求項２記載のテレビジョン選局ガイドシステム。
【請求項４】
前記テレビジョン受像機は、チャンネル操作部におけるザッピング除去手段を備えたことを特徴とする請求項１記載のテレビジョン選局ガイドシステム。
【請求項５】
前記テレビジョン受像機は、コンピュータサーバに記憶される選局者ＩＤを登録する選局者ＩＤ登録部を備え、テレビジョン受像機がコンピュータサーバから受信する選局ガイドデータに添付されるＩＤと照合することを特徴とする請求項1記載のテレビジョン選局ガイドシステム。
【請求項６】
前記テレビジョン受像機は、コンピュータサーバから選局ガイドデータを受信することにより、送信する選局ガイド情報の１つとしてＥＰＧ情報を記憶するＥＰＧ情報記憶部を備えたことを特徴とする請求項1記載のテレビジョン選局ガイドシステム。
【請求項７】
前記テレビジョン受像機には、選局者がチャンネル変更したタイミングに局名および番組名の表示がなされる一方、この局名および番組名に追従するか否かを選択できる操作部を表示手段に表示可能に設けられるビデオ処理回路を備えたことを特徴とする請求項1記載のテレビジョン選局ガイドシステム。
【請求項８】
前記選局者の選局に追従することを選んだ他の選局者に対しては、すでに追従している他の選局者ＩＤを表示することができることを特徴とする請求項７記載のテレビジョン選局ガイドシステム。
【請求項９】
前記テレビジョン受像機の表示手段には、選局者の選局に追従するか否かの選定ができるように選局ガイド情報にガイド元の選局者名および選局チャンネル表示されるようにしたことを特徴とする請求項1記載のテレビジョン選局ガイドシステム。
【請求項１０】
前記テレビジョン受像機の表示手段には、コンピュータサーバの選局者リストからガイド元のグループを引用し、スクロールアップガイダンス手法により選局情報を色分け表示することを特徴とする請求項1記載のテレビジョン選局ガイドシステム。
【請求項１１】
前記テレビジョン受像機の表示手段には、コンピュータサーバの選局者リストからガイド元のグループを引用し、リアルタイム情報に対して、一日の選局履歴を一覧で表示することを特徴とする請求項1記載のテレビジョン選局ガイドシステム。
【請求項１２】
コンピュータサーバがテレビジョン受像機の操作によりＩＤ登録を受け付けるステップと、
前記コンピュータサーバの受信部が、前記テレビジョン受像機からの選局情報を受信するステップと、
前記コンピュータサーバに設けられ、チャンネル地域コードを変換する変換手段が、前記ＩＤ登録を受け付けたテレビジョン受像機群の受信地域に対応してチャンネル地域コードを変換するステップと、
前記コンピュータサーバが、前記テレビジョン受像機に、前記選局情報に基づく選局ガイドデータおよび前記変換されたチャンネル地域コードを、前記テレビジョン受像機に送信するステップと、
前記テレビジョン受像機の受信部が、前記コンピュータサーバが送信した選局ガイドデータおよびチャンネル地域コードを受信し、送信部がこの受信した選局ガイドデータを前記チャンネル地域コードに対応するチャンネルに送信するステップと、
前記テレビジョン受像機の表示手段により、前記選局ガイド情報を表示するステップと、を具備することとを特徴とするテレビジョン選局ガイド方法。
【請求項１３】
前記テレビジョン受像機の表示手段により、選局ガイド情報を表示するステップは、
選局者の選局に追従するか否かの選定ができるように選局ガイド情報にガイド元の選局者名および選局チャンネル表示し、前記選局者の選局した全て、またはそれらの優先順位を決めてその優先順位の何番目までを指定して表示できるようにすることを特徴とする請求項1２記載のテレビジョン選局ガイド方法。
【請求項１４】
表示手段を有する機器の操作によりＩＤ登録を受け付けるコンピュータサーバを備え、
前記コンピュータサーバは、前記機器の受像操作により得られたコンテンツ情報を受信する受信部と、前記コンテンツ情報に基づいて、コンテンツガイド情報を記憶するコンテンツ操作情報蓄積部と、前記ＩＤ登録を受け付けた機器側へコンテンツガイド情報を送信する送信部を備え、
前記テレビジョン受像機は、前記コンテンツガイド情報を受信して、当該コンテンツガイド情報送信するコンテンツ情報記憶部と、当該コンテンツ情報記憶部で記憶したコンテンツガイド情報を表示可能に設けられる表示手段を備えたことを特徴とするコンテンツ操作ガイドシステム。
【請求項１５】
前記コンテンツ情報は、テレビジョン番組情報、動画配信情報、ＤＶＤ再生情報、録画コンテンツ情報、音楽ＣＤ情報、ユーチューブ情報のいずれかであることを特徴とする請求項１４記載のコンテンツ操作ガイドシステム。
【請求項１６】
コンピュータサーバが表示手段を有する機器の操作によりＩＤ登録を受け付けるステップと、
前記コンピュータサーバの受信部が、前記機器からのコンテンツ情報を受信するステップと、
前記コンピュータサーバが受信する前記コンテンツ情報に基づいて、コンテンツガイド情報を送信するステップと、
前記機器の受信部が、前記コンピュータサーバが送信したコンテンツ情報を受信するステップと、
前記機器の表示手段により、前記受信したコンテンツ情報を表示するステップと、を具備することを特徴とするコンテンツ操作ガイド方法。
【請求項１７】
前記機器の表示手段により、前記コンテンツ情報を表示するステップは、
選局者側の選局に追従するか否かの選定ができるようにコンテンツ情報にガイド元の選局者名およびコンテンツ内容を表示し、前記選局者の選定した全てのコンテンツ内容、またはそれらの優先順位を決めてその優先順位の何番目までを指定して表示できるようにしたことを特徴とする請求項1６載のコンテンツ操作ガイド方法。
【発明の詳細な説明】
【技術分野】
【０００１】
本発明は、特定のグループ内にてそれぞれ視聴しているチャンネルを相互に自動的にガイドすること、また、相互に視聴している動画配信の内容、録画したコンテンツの内容を相互にガイドすることが可能なテレビジョン選局ガイドシステムおよびコンテンツ操作ガイドシステム並びにそれらのガイド方法に関する。
【背景技術】
【０００２】
視聴者の友人等、実生活で所属しているコミュニティにおいて視聴されている番組を知っているとは限らないため、これをコミュニティにおいて視聴されている番組情報を相互に知らしめて相互にその情報を使うことができるようにした選局ガイドシステムが開発されている。
【０００３】
従来のこの種選局ガイドシステムとして、テレビジョン放送受信部能付移動体通信端末にこの種の機能を付加したものがある。
【０００４】
例えば、特許文献１によれば、図２７にテレビジョン放送受信部能付移動体通信端末のネットワーク構成を示すように、テレビジョン放送受信部能付移動体通信端末１と、テレビジョン放送受信部能付移動体通信端末２とは、インターネットや赤外線通信などにて通信が可能であり、メンバー間で通話、電子メール、メモリダイヤルリストへのメンバー登録などを行うことができるようになっている。
【０００５】
また、図２８に、テレビジョン放送受信装置であるテレビジョン放送受信部能付移動体通信端末３は、チューナ４と、分離部５と、制御部６と、デコード部７と、映像処理部８と、ＯＳＤ制御部９と、合成部１０と、表示部１１と、操作部１２と、通信制御部１３と、電子番組表記憶部１４とメモリダイヤルリスト記憶部１５から構成される。チューナ４は、制御部６からの選局命令に基づいてテレビジョン放送信号を受信し、受信したテレビジョン放送信号に高周波処理及び復調処理を行い、トランスポートストリームとして分離部５へ出力する。分離部５は、チューナ４からのトランスポートストリームをＭＰＥＧデータであるデジタル映像信号及びデジタル音声信号と番組情報等の付加情報に分離し、ＭＰＥＧデータをデコード部７へ出力し、付加情報を制御部６に出力する。
【０００６】
制御部６は、リモコン信号送受信部２１から所望のチャンネルの選局要求を取得した場合は、チューナ４への選局要求を行うと共に、選局されたチャンネルの番組視聴時において、分離部５から取得した付加情報のうち、所定操作時に必要な番組情報データをＯＳＤ制御部９へ出力する。また、通信制御部１３が、メンバーの名前、メールアドレス、電話番号、ＩＰアドレスなど、メモリダイヤルに対する入力が、操作部１２にあった場合は、図示しないメモリダイヤルリストにメンバーを追加する処理を行うことができるようになっている。
【０００７】
この構成により、ネットワークを通じてリアルタイムに視聴率を提供する方法では、視聴情報を特定のサーバに送信した上で、情報提供装置がデータの加工を行うために、視聴者の友人等、実生活で所属しているコミュニティにおいて視聴されている番組が知らせるようにするために、テレビジョン放送受信部能付移動体通信端末３が備えるメモリダイヤルリストに、視聴者が実生活で所属するコミュニティによって「家族」、「会社」などのグループや、電話番号、電子メールアレス、携帯のＩＰアドレスなどのメンバーの情報を登録することができる。
【０００８】
テレビジョン放送受信部能付移動体通信端末３は、番組を視聴した場合、視聴中の番組情報をメモリダイヤルリストに登録された別のテレビジョン放送受信部能付移動体通信端末３に送信するとともに、受信した番組情報を集計することができるようになっている。
【０００９】
このテレビジョン放送受信部能付移動体通信端末３によれば、テレビジョン放送受信部能付移動体通信端末３が備えるメモリダイヤルリストに、「家族」、「会社」などのグループや、電話番号、電子メールアドレス、携帯のＩＰアドレスなどのメンバーの情報を登録し、テレビジョン放送受信部能付移動体通信端末３で番組を視聴した場合、視聴中の番組情報をメモリダイヤルリストに登録された別のテレビジョン放送受信部能付移動体通信端末３に送信するとともに、受信した番組情報を集計することができる。
【００１０】
この通信端末によれば、番組の集計情報を提示することができるが、他人の選局状況の変化に気付きにくく、選局情報のガイドとして不十分であった。
【００１１】
また、特許文献２によれば、図２９に示すように、リアルタイム視聴情報配信では、視聴者側のユーザ側端末と、このユーザ側端末から送信される視聴情報を収集して集計するサーバ装置とを用いる。まず、従来のアナログ放送や近年のデジタル放送などの放送局から送られる番組を視聴者側のユーザ側端末において選局し、この選局する番組に関する情報としてチャンネル番号や視聴時間などのリアルタイムな視聴情報がサーバ装置に送信される。このようにリアルタイムに送信された視聴情報をサーバ装置で収集し、統計的処理などにより加工して集計する。視聴情報をサーバ装置で加工した後、この加工された情報である視聴率や視聴者数などの集計結果を視聴者側のユーザ側端末へと配信し、例えばサーバ装置から配信される集計結果を視聴者の画面上に表示するなどしてリアルタイムな視聴情報を反映した視聴率や視聴者数などの集計結果を視聴者に伝える。
【００１２】
その構成については、図３０に示すように、ユーザ側端末である視聴者側装置２０及びサーバ装置２１からなり、インターネット２９などの回線を経由して接続される。サーバ装置２１は視聴者側装置２０に対してリアルタイム視聴情報配信での情報を提供する情報提供装置の一形態であり、視聴者側装置２０は情報提供装置であるサーバ装置２１からリアルタイム視聴情報配信での情報を受け取って利用する情報利用装置の一形態である。情報提供装置の一形態であるサーバ装置２１は、リアルタイム視聴情報配信での情報を提供するための情報提供プログラムが記憶された記憶媒体であるハードディスクを有し、このハードディスクを読み込むことによって情報提供装置として機能する。情報利用装置の一形態である視聴者側装置２０は、リアルタイム視聴情報配信でサーバ装置２１から配信される情報を利用するための情報利用プログラムが記憶された記憶媒体であるハードディスクを有し、このハードディスクに情報を受信して読み込むことによって情報利用装置として機能する。サーバ装置２１のハードディスクに記憶された情報提供プログラムは、後述の種々の形態によりリアルタイム視聴情報配信での情報を提供したり視聴者側装置２０からリアルタイムな視聴情報を受信したりするように作成されており、視聴者側装置２０に記憶された情報利用プログラムは、リアルタイムな視聴情報をサーバ装置２１に送信したりリアルタイム視聴情報配信での情報をしたりするように作成されている。 
ユーザ側端末である視聴者側装置２０は、リアルタイム視聴情報配信に参加するためにサーバ装置にユーザ登録する登録部２０ａと、視聴者側が選局する番組のチャンネル番号や視聴時間などの視聴情報をサーバ装置に送信する視聴者側送信部２０ｂと、サーバ装置から加工情報である集計結果を受信する視聴者側受信部２０ｃと、加工情報である集計結果を受信して表示する表示部２０ｄとからなる。サーバ装置２１は、視聴者側から視聴情報を受信するサーバ受信部２２と、サーバ受信部で受信した視聴情報を収集して集計して加工情報である集計結果を送信する集計部２３と、加工情報である集計結果を視聴者側に配信する配信部２４ａとからなり、視聴者側装置２０から送信されたリアルタイムな視聴情報を収集・集計して配信する。
【００１３】
サーバ装置２１におけるサーバ受信部２２、集計部２３、及び配信部２４ａは、視聴者の登録により受信した視聴者に関する情報を保管する視聴者情報部２５、視聴者側装置２０より送られる視聴情報を保管する視聴情報部２６、視聴者の各地域の番組表が保存される番組表情報部２７に連携しており、各情報が必要なときに必要な情報を引き出すことができるようになっている。また、ユーザ側端末である視聴者側装置２０とサーバ装置２１との送受信はインターネット２９などの回線を経由してなされ、前述のように、視聴者側装置２０及びサーバ装置２１はインターネット２９などの回線に接続可能な装置である。
【００１４】
なお、図３０に示すように、リアルタイム視聴情報配信に参加するにあたり、視聴者側は視聴者側装置２０の登録部２０ａを通じてユーザ登録する。この視聴者側がユーザ登録する情報は一般的な基本属性であり、例えば、名前、性別、住所、後述するその地域の番組表の選択番号などであったり、あるいは仮想的に匿名で登録したり、ハンドルネームや自分の写真などのキャラクターなどを登録情報としても良い。このように視聴者側は視聴者側装置２０の登録部２０ａを通じて、サーバ装置２１の視聴者情報部２５に視聴者情報をユーザ登録すると、サーバ装２１置から各視聴者側装置２０に対応する一意のユーザ識別子を与えられ、リアルタイム視聴情報配信に参加することができるようになっている。
【００１５】
この構成により、情報提供装置と情報利用装置との間で、ネットワークを介して、過去の視聴情報ではなく今現在のリアルタイムな視聴情報を伝え、複数の番組の統計を参考にし、リアルタイムな視聴情報・集計結果に連携したＥＰＧやプロモーションのようなサービスを提供することを目的とし、 流動的に変化する今現在のリアルタイムな視聴情報を収集・集計した集計結果をリアルタイムにユーザ側端末に送信することにより、今現在のリアルタイムな視聴情報を伝えられた視聴者は今面白い番組を選択でき、リアルタイムな視聴情報・集計結果に連携したＥＰＧやプロモーション情報をユーザ側端末に配信することにより、番組の内容だけでなく番組の内容以外によって今以上に番組を楽しむことができるものであり、
情報提供装置に年齢、性別、端末のＩＰアドレスなどテレビジョン放送受信装置とユーザの情報を登録すると、テレビジョン放送受信装置は、情報提供装置に視聴中の番組情報を送信し、情報提供装置側でデータの収集を行う。情報提供装置は収集したデータを元に、視聴数や視聴率などを算出した上、電子番組表に視聴数や視聴率をリアルタイムに付加した情報を登録されたＩＰアドレスのテレビジョン放送受信装置に対して送信することができる情報提供システムが示されている。
【００１６】
この従来の情報提供システムによれば、情報提供装置と情報利用装置との間で、ネットワークを介して、過去の視聴情報ではなく今現在のリアルタイムな視聴情報を伝え、複数の番組の統計を参考にし、リアルタイムな視聴情報・集計結果に連携したＥＰＧやプロモーションのようなサービスを提供することができる。しかし，本特許のように特定の人の選局情報を取得できず、利用することはできないので、友達が関心を持つ番組を知ることができない。
【先行技術文献】
【特許文献】
【００１７】
【特許文献１】特開２００６−４１５８７号公報
【特許文献２】特開２００３−２８４００８号公報
【発明の概要】
【発明が解決しようとする課題】
【００１８】
本発明は、友達の選局情報を利用して、友達が関心を持っている番組とシーンを知るおよび見逃さないことを可能とする一方、同時間帯にテレビジョンを見ている人々において、選局情報を共有し、友達がどんな番組を見ているか分かるようにすることで、他人が関心を持つ番組を知ることができるテレビジョン選局ガイドシステムおよび方法を提供することを目的とする。
【課題を解決するための手段】
【００１９】
上記目的を達成するために、本発明によれば、テレビジョン受像機の操作によりユーザＩＤ登録を受け付けるコンピュータサーバを備え、前記コンピュータサーバは、前記ユーザＩＤおよびテレビジョン受像機のチャンネル操作により得られた選局情報を受信する受信部と、前記選局情報を前記テレビジョン受像機の受信地域に対応したチャンネル地域コードに変換するチャンネル地域コードの変換手段と、前記選局情報に基づいて、選局ガイドデータを記憶する選局ガイドデータ記憶部と、前記テレビジョン受像機に前記選局ガイドデータおよび変換されたチャンネル地域コードを、前記テレビジョン受像機に送信する送信部を備え、
前記テレビジョン受像機は、前記選局情報を前記コンピュータサーバに送信する送信部と、前記選局ガイドデータおよびチャンネル地域コードを受信する受信部と、前記選局ガイドデータから選局ガイド情報を生成する選局ガイド情報生成部と、選局ガイド情報を表示可能に設けられる表示手段を備えたことを特徴とするテレビジョン選局ガイドシステムを提供する。
【００２０】
また、上記目的を達成するために、本発明によれば、コンピュータサーバがテレビジョン受像機の操作によりＩＤ登録を受け付けるステップと、前記コンピュータサーバの受信部が、前記テレビジョン受像機からの選局情報を受信するステップと、前記コンピュータサーバに設けられ、チャンネル地域コードを変換する変換手段が、前記ＩＤ登録を受け付けたテレビジョン受像機群の受信地域に対応してチャンネル地域コードを変換するステップと、前記コンピュータサーバが、前記テレビジョン受像機に、前記選局情報に基づく選局ガイドデータおよび前記変換されたチャンネル地域コードを、前記テレビジョン受像機に送信するステップと、前記テレビジョン受像機の受信部が、前記コンピュータサーバが送信した選局ガイドデータおよびチャンネル地域コードを受信し、送信部がこの受信した選局ガイドデータを前記チャンネル地域コードに対応するチャンネルに送信するステップと、前記テレビジョン受像機の表示手段により、前記選局ガイド情報を表示するステップと、を具備することとを特徴とするテレビジョン選局ガイド方法
を提供する。
【００２１】
上記目的を達成するために、本発明によれば、表示手段を有する機器の操作によりＩＤ登録を受け付けるコンピュータサーバを備え、前記コンピュータサーバは、前記機器の受像操作により得られたコンテンツ情報を受信する受信部と、前記コンテンツ情報に基づいて、コンテンツガイド情報を記憶するコンテンツ操作情報蓄積部と、前記ＩＤ登録を受け付けた機器側へコンテンツガイド情報を送信する送信部を備え、前記テレビジョン受像機は、前記コンテンツガイド情報を受信して、当該コンテンツガイド情報送信するコンテンツ情報記憶部と、当該コンテンツ情報記憶部で記憶したコンテンツガイド情報を表示可能に設けられる表示手段を備えたことを特徴とするコンテンツ操作ガイドシステムを提供する。
【００２２】
また、上記目的を達成するために、本発明によれば、コンピュータサーバが表示手段を有する機器の操作によりＩＤ登録を受け付けるステップと、前記コンピュータサーバの受信部が、前記機器からのコンテンツ情報を受信するステップと、
前記コンピュータサーバが受信する前記コンテンツ情報に基づいて、送信部が
コンテンツガイド情報を送信するステップと、前記機器の受信部が、前記コンピュータサーバが送信したコンテンツ情報を受信するステップと、前記機器の表示手段により、前記受信したコンテンツ情報を表示するステップと、を具備することを特徴とするコンテンツ操作ガイド方法を提供する。
【発明の効果】
【００２３】
本発明によれば、ネットワーク上のユーザは、単に普段のリモコン操作の選局することにより、選局情報をサーバに自動送信してサーバ側で各ユーザの選局情報を収集することができる。収集した選局情報を、各ユーザが友達リストに登録した友達に送信する。選局情報を受信したユーザのテレビジョン受像機で選局ガイドを生成し、表示するので友達が興味を持つ番組を相互に知ることができる。
【００２４】
したがって、友達が興味を持つ番組を知ることができ、知らない番組も見られる効果がある。また、友達リストに登録されたユーザ（以下、「選局者」という。）の視聴活動を知ることにより、選局者である友達の興味を把握することが可能になる。
【００２５】
さらに、後日に同じ番組を視聴していた選局者である友達同士の間に、感想を共有するための手助けとなる。
【図面の簡単な説明】
【００２６】
【図１】本発明の第１の実施形態を示す概要説明図。
【図２】本発明の第１の実施形態の概要を示すブロック構成図。
【図３】本発明の第１の実施形態の番組放送受信装置であるテレビジョン受像機を構成するブロック構成図。
【図４】図２および図３に示す選局ガイド情報生成部のブロック構成図。
【図５】本発明の第１の実施形態の番組放送受信装置のチャンネル選局操作におけるザッピング除去についての説明図。
【図６】本発明の第１の実施形態における選局連鎖機能を例示する説明図。
【図７】本発明の第１の実施形態における番組放送受信装置のリモートコントローラを示す図。
【図８】本発明の第１の実施形態における自動選局表示されるガイド画面例を示す図。
【図９】本発明の第１の実施形態の番組放送受信装置に表示される友達リストの構造説明図。
【図１０】本発明の第１の実施形態における選局者ＩＤとチャンネル地域コードとの相関を例示する図。
【図１１】本発明の第１の実施形態の自動選局設定の画面例の説明図。
【図１２】本発明の第１の実施形態におけるスクロール可能な選局ガイド表示例を示す図。
【図１３】本発明の第１の実施形態における履歴情報を含むスクロール可能な選局ガイド表示例を示す図。
【図１４】本発明の第１の実施形態のテレビジョン受像機側における選局ガイド情報を生成するまでのステップを示すフローチャート。
【図１５】本発明の第１の実施形態における選局者リスト登録の承認請求送信までのステップを示したフローチャート。
【図１６】本発明の第１の実施形態における選局者リスト登録の登録操作のステップまでを示したフローチャート。
【図１７】本発明の第１の実施形態における選局者の選局情報の送信までのステップを示したフローチャート。
【図１８】本発明の第１の実施形態における選局連鎖のステップを示したフローチャート。
【図１９】本発明の第１の実施形態における選局フィードバックのデータの構造の説明図。
【図２０】本発明の第１の実施形態における選局情報の説明図。
【図２１】本発明の第１の実施形態の選局フィードバックのステップを示したフローチャート。
【図２２】本発明の第１の実施形態における友達リストの選局者優先順位の調整ステップを示したフローチャート。
【図２３】本発明の第１の実施形態における選局連鎖データの構造説明図。
【図２４】本発明の第１の実施形態における選局フィードバック機能の説明図。
【図２５】本発明の第１の実施形態における選局連鎖情報の提示画面例を示す図で、（ａ）および（ｂ）は、それぞれ異なった表示例を示す図。
【図２６】本発明の第１の実施形態における選局情報の蓄積データの構造説明図。
【図２７】本発明の第２の実施形態におけるテレビジョン選局ガイドシステムの概要を示すブロック構成図。
【図２８】従来のテレビジョン放送受信部能付移動体通信端末のネットワーク構成図。
【図２９】従来のテレビジョン放送受信部能付移動体通信端末の構成を示すブロック図。
【図３０】従来のリアルタイム視聴情報配信におけるサーバ装置及び視聴者側装置の概要を示すブロック図。
【図３１】従来のリアルタイム視聴情報配信におけるサーバが装置及び視聴者側装置を示すブロック図。
【発明を実施するための形態】
【００２７】
［第１の実施形態］
本発明の選局ガイドシステムに係る第１の実施形態について、図１〜図２４を参照して説明する。
【００２８】
図１は本発明のテレビジョン選局ガイドシステム３０の実施形態を示す概要説明図、図２は、本発明のテレビジョン選局ガイドシステム３０の概要を示すブロック構成図、図３は、本発明のテレビジョン選局ガイドシステム３０の番組放送受信装置であるテレビジョン受像機を構成するブロック構成図、図４は、本発明のテレビジョン受像機の選局情報処理部における選局ガイド情報生成部のブロック構成図、図５は、本発明のテレビジョン選局ガイドシステム３０の番組放送受信装置のチャンネル選局操作におけるザッピング除去についての説明図、図６は、テレビジョン受像機群３２の各テレビジョン受像機３２Ａ，３２Ｂ，…３２Ｎによる選局連鎖機能を例示する説明図、図７は、本発明のテレビジョン選局ガイドシステム３０における番組放送受信装置のリモートコントローラの概要図、
図８は、本発明のテレビジョン選局ガイドシステム３０の番組放送受信装置に表示されるガイド画面例を示す図、図９は、選局者リストのデータ構造を示す図である。図１０は、選局者ＩＤとチャンネル地域コードとの相関を例示する図で、
「ユーザＩＤ」、テレビジョン所在地別に対応するチャンネル整合のための「チャンネル地域コード」を示す図である。図１１は、本発明のテレビジョン選局ガイドシステム３０における自動選局設定画面例を示す図、図１２は、本発明のテレビジョン選局ガイドシステム３０におけるスクロール可能な選局ガイド情報表示例を示す図で、図１３は、本発明のテレビジョン選局ガイドシステム３０における履歴情報を含むスクロール可能な選局ガイド情報表示例を示す図である。
【００２９】
図1および図２に示すテレビジョン選局ガイドシステム（以下、選局ガイドシステムという。）３０は、コンピュータサーバ（以下、「サーバ」という。）３１と、番組放送受信装置である例えばテレビジョン受像機群３２とから構成される。
【００３０】
テレビジョン受像機群３２は、複数のテレビジョン受像機３２Ａ，３２Ｂ…３２Ｎおよび３２Ｘとから構成される。
【００３１】
複数のテレビジョン受像機３２Ａ，３２Ｂ…３２Ｎおよび３２Ｘは、それぞれテレビジョン受像する選局者により取り扱われる。
【００３２】
なお、「選局者」とは、各テレビジョン受像機で選局操作を行う者であって、ユニークな登録ＩＤを有する。選局者は、他の選局者の登録ＩＤを、自らの友達リストに登録することができる。
【００３３】
複数のテレビジョン受像機３２Ａ，３２Ｂ…３２Ｎおよび３２Ｘは、相互にネットワーク上のユーザにて取り扱われるテレビジョン受像機であり、且つサーバ３１の選局者リストに相互に登録された、例えば「TANAKAさん」、「SAITOさん」、「SUZUKIさん」（以下、選局者という。）のそれぞれ自宅等に備えられるテレビジョン受像機である。
【００３４】
テレビジョン受像機３２Ａ，３２Ｂ…３２Ｎは、それぞれ共通の機能を有するもので、その例えばテレビジョン受像機３２Ａは、図２に示すように、制御モジュール５０、表示画面５１およびチャンネル操作部５２とから構成される。
【００３５】
制御モジュール５０は、選局情報処理部５４、ＥＰＧ情報記憶部５５およびザッピング除去手段５６とから構成され、例えば図７に示すリモコンＲのリモコン操作部Ｒ１の操作に基づくリモコン信号をサンプリングし、このサンプリングによる判別結果をリモコンコードとし、このリモコンコードに基づき必要に応じて、テレビジョン受像機３２Ａのチューナ回路６２（図３参照)に対し受信チャンネルを指示する選局制御信号を供給する機能を有する。
【００３６】
選局情報処理部５４は、選局ガイド情報生成部５７、選局情報送受信部５８および選局者ＩＤ登録部５９を備える。
【００３７】
また、テレビジョン受像機３２Ａは、図２および図３に示すように、制御モジュール５０の他に、アンテナ６１、チューナ回路６２、ＶＩＦ回路６３、ビデオ処理回路６４、表示画面５１、リモコン受像機６６およびネットワークＩＦ６７を備える。
【００３８】
選局ガイド情報生成部５７は、サーバ３１から受信した選局ガイドデータｂを基に選局ガイド情報を生成するもので、図４に示すように、選局ガイド受信モジュール５７ａ、インターフェース生成モジュール５７ｂ、スクロール制御モジュール５７ｃおよび選局履歴取得モジュール５７ｄおよびサーバ３１の選局情報蓄積部７６に接続する選局履歴取得モジュール５７ｄとから構成される。
【００３９】
選局ガイド情報は、サーバ３１側で送信された選局ガイドデータｂを受信することにより、生成されるもので、選局者ＩＤ、チャンネル情報、ＥＰＧ情報によりテレビジョン受像機３２Ｂ〜３２Ｎおよび３２Ｘから発信される選局情報ａに基づき生成される。
【００４０】
これにより、特定の選局者、例えばTANAKAさんが×××ＴＶ局の番組「これからのこと」に切り替えた場合、図8で示すように、TANAKAさん以外のユーザ、例えばSAITOさんのテレビジョン受像機３２Bの表示画面５１にその旨が表示される。具体的には、図８にガイド画面例として示されるように、「TANAKAさんが×××ＴＶ「これからのこと」に切り替えました。切り替えますか？」とのメッセージｍが表示画面５１に表示される。更には、表示画面５１に操作ボタンｍ１の「はい」および「いいえ」のアイコン表示がなされる。「はい」を押した場合に、選局者の番組を追従する。「いいえ」を押した場合に、選局者の番組を追従しない。追従とは、選局者が、表示される選局ガイドを受け入れる操作を行い、選局ガイドに含まれるチャンネルを選局することである。
【００４１】
スクロール制御モジュール５７ｃは、図１２で示すように、例えばTANAKAさんのテレビジョン受像機３２Ａの表示画面５１に、例えば、最新の情報としてSAITOさんが４チャンネルに切り替えました。その前の時刻情報として、YAMAJIさんが５チャンネルに切り替えました。時間軸に沿ってスクロール表示せしめることができる。
【００４２】
このような機能を実現するため、選局ガイド情報生成部５７は、選局履歴取得モジュール５７ｄを備え、図２に示す選局情報蓄積部７６にて蓄積した情報を取得して、当日の選局情報をインターフェース生成モジュール５７ｂに渡すことで、選局者はスクロールアップガイダンスにより古い情報も参照することが可能である。
【００４３】
また、図１３に示すように、情報全般に亘って、時間軸を基準にした表示形式とすることができる。例えばTANAKAさんのテレビジョン受像機３２Ａの表示画面５１に、例えばリアルタイム情報ｘ１と情報履歴ｘ２とを時間軸に沿ってスクロール表示せしめることができる。
【００４４】
更に、このスクロール表示にあたっては、色別表示にすることができる。例えば、リアルタイム情報ｘ１の範囲では、「橙色」、「青色」および「赤色」を、また、履歴情報ｘ２の範囲では、灰色を用いる。
【００４５】
また、テレビジョン受像機３２Ａの表示画面５１には、テレビジョン受像機の電源をオフしている間の選局者の選局履歴を灰色で表示する、TANAKAさんはリモコンで情報を参照したり、追従したりすることが可能である。
【００４６】
選局情報送受信部５８は、図３に示すように、ネットワークＩＦ６７によりインターネット（図示せず）を介して、サーバ３１へ選局情報ａを送信すると共に、選局ガイドデータｂおよびテレビジョン受像機３２Ａの受像チャンネルに対応するチャンネル地域コードを受信する機能を有する
なお、この選局情報送受信部５８は、選局情報ａの送信部と選局ガイドデータｂを受信する受信部とをそれぞれ別々に設けても差し支えない。
【００４７】
選局情報ａは、テレビジョン受像機３２Ａ以外のテレビジョン受像機３２Ｂ〜３２Ｎおよび３２Ｘから発信されるもので、図２０に示すように、自分の選局者ＩＤｙが「TANAKA」、選局情報ｘが「１」、追従先ｚが「ＮＵＬＬ」という自分の意思で選局する場合のデータ構成である。
【００４８】
選局者ＩＤ登録部５９は、テレビジョン受像機群３２の各テレビジョン受像機３２Ａ〜３２Ｎが友人関係を登録する機能を備える。
【００４９】
ＥＰＧ情報記憶部５５は、電子番組表（ＥＰＧ）を記憶するもので、変換済みのチャンネルコードを受信することにより、予め蓄積することが可能なＥＰＧ情報を呼び出すことができるようになっている。
【００５０】
ザッピング除去手段５６は、図５にそのチャンネル選局操作の事例について説明するように、チャンネル選局操作が、選局者が設定した時間（例えば10秒程度）以下を頻繁に操作した際の期間である「ザッピング除去期間」は、チャンネル選局を送信しない。例えば１０秒程度以上の期間である「情報送信期間」であった際には、チャンネル選局を有効とする機能を備える。
【００５１】
ここで、上述したサーバ３１の選局連鎖記録部７２で記録する連鎖の関係について図６を参照して説明する。
【００５２】
例えばSUZUKIさんを中心として友人関係を辿ってゆけば、TANAKAさんは、SUZUKIさん、SAITOさん、YAMAJIさんおよびETOさんに直接友人関係にある。TANAKAさんに対して、SUZUKIさんが1チャンネルに選局した情報を直接に送信し、TANAKAさんのテレビジョン受像機に選局ガイド情報を送信することができる。一方、ETOさん、YAMAJIさん、SAITOさんがSUZUKIさんの選局ガイド情報により、同じチャンネルに切り換える際に、それぞれにTANAKAさんに同じ選局情報を提示することができる。
【００５３】
このSUZUKIさん、SAITOさん、YAMAJIさん、SAITOさんのそれぞれが
TANAKAさんに対して「ガイド元」の関係にある。
【００５４】
そして、図２に示すように、選局連鎖記録部７２は、ある選局者の選局ガイド情報に対して、選局者である友達の誰が同じチャンネルに切り換えたかの選局連鎖ガイド情報を記録することができ、テレビジョン受像機３２Ａ（３２Ｂ〜３２Ｎ）へ提示することができる構成になっている。
【００５５】
なお、図１に示すように、不特定多数のユーザ（宅）側に備えるテレビジョン受像機３２Ｘは、ユーザ同士の関係であっても、必ずしも選局者同士の関係ではないため、選局者同士以外からは選局情報ａは送信されなく、サーバ３１へ送信可能に設けられる。その他の構成は、テレビジョン受像機３２Ａ，３２Ｂ…３２Ｎと同様であるので説明を省略する。
【００５６】
サーバ３１は、具体的には図２に示すように、選局フィードバック記録部７１、選局連鎖記録部７２、選局者の選局検知部７３、選局者リスト管理部７４、選局フィードバック記録部７１に接続される選局ガイドデータ記憶部７５、選局者の選局検知部７３に接続される選局情報蓄積部７６、チャンネル地域コードの変換手段７７および選局情報送受信部７８を備える。
【００５７】
選局連鎖記録部７２は、相互に登録されたテレビジョン受像機群３２のテレビジョン受像機間での連鎖関係を記録するものである。
【００５８】
選局者の選局検知部７３は、テレビジョン受像機３２Ａにおいて選局操作された際、選局者リストを参照して、選局者の選局操作を検知することができるようになっている。
【００５９】
選局者リスト管理部７４は、テレビジョン受像機群３２の各テレビジョン受像機３２Ａ〜３２Ｎを取り扱う友人を選局者として登録し、選局者リストとして管理するものである。
【００６０】
これにより、特定の選局者に前記図８のような選局ガイドを表示することができる。更には、図８の「はい」のボタンを操作すると「はい」を押す回数のカウント数などの視聴行動に基づいて、優先順位を決めることができる。
【００６１】
この優先順位を決めるにあたって図９を参照して説明する。
【００６２】
選局者リストのデータ構造は、図９に示すように、ｙ１項目欄にユーザＩＤが、ｙ２項目欄にユーザＩＤが、ｙ３項目欄に会社、友達、家族別の選局者の属するグループ名が、ｙ４項目欄に選局ガイド情報の得られる優先順位がそれぞれ示される。
【００６３】
なお、ここで選局者としてグループとの関係を解除する（選局情報を不要とする）場合には、選局者リスト登録画面で、選局者削除ボタンを押すことにより、登録解除をすることもできる。
【００６４】
選局ガイドデータ記憶部７５は、選局フィードバック機能を実現するために、フィードバックデータを一時的に記憶するものである。
【００６５】
選局情報蓄積部７６は、選局者の選局検知部７３にて検知した情報を蓄積するものである。
【００６６】
チャンネル地域コードの変換手段７７は、各ユーザの所在地に対応したチャンネル変換を可能とするためのもので、同一の選局をしても同一の番組が出ない地域があるので、同一の番組が出るように予めチャンネルの自動変換がなされるようにようにする手段である。
【００６７】
このチャンネルの自動変換は、図１０に示すように、「選局者ＩＤ」ｙ５、テレビジョン所在地別に対応するチャンネル整合のための「チャンネル地域コード」ｙ６が表示される。
【００６８】
例えば、「ＳＵＺＵＫＩ」さんのチャンネル地域コードが「１３」であるのに対して、「ＷＡＴＡＮＡＢＥ」さんのチャンネル地域コードが「１４」というように、それぞれ異なる地域であっても同一局の番組を視聴することができるよう自動的にチャンネル整合の措置を取ることができるようになっている。
【００６９】
選局情報送受信部７８は、テレビジョン受像機３２Ａ（３２Ｂ〜３２Ｎ）の選局情報送受信部５８との間で選局情報ａや選局ガイドデータｂのやり取りを行う送受信部である。
【００７０】
また、この選局情報送受信部７８は、選局ガイドデータｂと共に地域の受像チャンネルに対応するチャンネル地域コードをテレビジョン受像機３２Ａに送信する。
【００７１】
なお、この選局情報送受信部は、送信部と受信部とを別々に備えたものであってもよい。
【００７２】
次に、選局ガイドシステム３０の作用について、図１〜図２６を参照して説明する。
【００７３】
図１４は、本発明の選局ガイドシステム３０のテレビジョン受像機３２Ａ側における選局ガイド情報の生成までのステップを示すフローチャート、図１５は、本発明の選局ガイドシステム３０における選局者リスト登録の承認請求送信までのステップを示したフローチャート、図１６は、本発明の選局ガイドシステム３０における選局者リスト登録の登録操作のステップまでを示したフローチャート、図１７は、本発明の選局ガイドシステム３０のサーバにおける選局者側からの選局情報送信までのステップを示したフローチャート、図１８は、本発明の選局ガイドシステム３０における選局連鎖動作ステップを示したフローチャート、図１９は、本発明の選局ガイドシステム３０における選局フィードバックのデータの構造の説明図、図２０は、本発明の選局ガイドシステム３０における選局情報データの説明図。図２１は、本発明の選局ガイドシステム３０における選局フィードバックの動作ステップを示したフローチャート、図２２は、本発明の選局ガイドシステム３０の選局者リストの選局者優先順位の調整ステップを示したフローチャート、図２３は、本発明の選局ガイドシステム３０における選局連鎖データの構造説明図、図２４は、本発明の選局ガイドシステム３０における選局フィードバック機能の説明図、図２５は、本発明の選局ガイドシステム３０における選局連鎖情報の提示画面例を示す図、で、（ａ）および（ｂ）は、それぞれ異なった表示例を示す図で、図２６は、本発明の選局ガイドシステム３０における選局情報の蓄積データの構造説明図である。
【００７４】
図１に示すように、最初に例えばテレビジョン受像機３２Ａの電源をオンすることにより選局ガイド情報生成処理がなされ、図１４に示すステップを開始する。図１４に示すステップに従って説明する。
【００７５】
所定の場所に存在するテレビジョン受像機、例えばテレビジョン受像機３２Ａを、所定の選局者が図７に示すリモコンＲを操作して所要の選局をすると、図１に示すように、選局情報ａをサーバ３１に送信する。サーバ３１は、図１および図２に示すように、選局者の選局検知部７３と選局情報送受信部７８により、選局者リストに登録した選局者のテレビジョン受像機に選局ガイドデータｂを送信する。
【００７６】
この段階から次のステップについて説明する。
【００７７】
テレビジョン受像機３２Ａは、選局ガイドデータｂについて、サーバ３１からの送信データを待つ＜ステップＳ１＞。
【００７８】
受信した選局ガイドデータｂから選局情報抽出の処理を行う＜ステップＳ２＞。この＜ステップＳ２＞で受信する受信データは、“TANAKA １０チャンネル”のように、送信元の選局者ＩＤと選局したチャンネル情報から構成されている。このチャンネル情報は、送信元の選局者（例えばテレビジョン受像機３２Ｂの操作者）が所在する地域によって異なるので、予めサーバ３１のチャンネル地域コードの変換手段７７でチャンネルコード変換を行う。また、この受信データにより、選局者を特定するため、受信した選局情報から選局者ＩＤを抽出する。そして、選局したチャンネルＩＤを抽出する。
【００７９】
受信したデータの現在時刻を取得する＜ステップＳ３＞。
【００８０】
取得したチャンネルＩＤと現在時刻により、この現在時刻のＥＰＧ情報を取得する。このＥＰＧ情報は、テレビジョン受像機３２Ａに予め保存されたものから取り出す＜ステップＳ４＞。
【００８１】
そして、この選局再生情報は、サーバ３１の選局者の選局検知機能により、検知した選局者の選局情報ａを、選局ガイド情報として図８に示すように、テレビジョンの画面の下端にダイアログ形のガイダンスのように、全体画面に、例えば重畳（ＯＳＤ）表示される＜ステップＳ５＞。
【００８２】
この＜ステップＳ１＞〜＜ステップＳ５＞を踏むことにより、テレビジョン受像機３２Ａ側において選局ガイド情報の受信処理を終了する。
【００８３】
なお、この＜ステップＳ５＞における選局ガイド情報は、原則的に、一つの選局に対して、ガイダンス一つのみを一定時間（例えば、１０秒）で表示する。ガイダンスの表示内容として、受信した選局情報により、選局者の選局案内情報を提示する。例えば、選局を促す理由とする選局者の名前、選局したチャンネル名、番組名を表示することができる。また、その下に、選択ボタン（「はい」および「いいえ」）を配置し、これにより選局するかを選局者が選択できる。例えば、TANAKAさんが１０チャンネルを選局した場合、SAITOさんに“TANAKAさんが×××ＴＶ局の番組である、例えば「これからのこと」に切り替えました。切り替えますか？”のガイド情報を表示することもできる。
【００８４】
なお、選局者はテレビジョン視聴において、リモコンでチャンネルを頻繁に切り替えながら視聴することがあるため、必要がない選局情報を送信する場合もある。このようなことを防止するため、テレビジョン受像機３２Ａのザッピング除去手段５６により選局者の確かな意思が反映されるようにザッピング除去処理を行う。
【００８５】
このザッピング除去処理は、図５に示すように、「ザッピングチェック」の段階で△印で示すように頻繁に（例えば１秒間隔）で４回（図５のｐ１〜ｐ４を参照）操作した場合には、何れもザッピングとして除去される。次に、ｐ５のポイントで操作して次の操作まで、選局者が設定した時間（例えば１０秒間）の間隔がある場合には、同じチャンネル視聴したものとして認識し、ザッピング除去した選局情報をサーバ３１に送信する。
【００８６】
なお、選局情報をサーバ３１に送信するのは下記（１）〜（４）のタイミングとすることもできる。すなわち、（１）リモコンの矢印ボタンでチャンネルを切り替えた場合、（２）リモコンのチャンネル数字を入力した場合、（３）番組表からチャンネルを選択し、決定キーを押した場合、（４）テレビジョン受像機の電源ＯＮした場合である。
【００８７】
一方、選局者リストに友達の全部あるいは一部を登録するために、選局者リスト登録請求処理を図１５の手順で行う。すなわち、選局者ＩＤ登録処理を待っている＜ステップＳ１１＞。
【００８８】
登録したいユーザＩＤが選局者リストに存在しているかを確認する＜ステップＳ１２＞。
【００８９】
新規登録を判定した場合に、登録先のユーザに登録請求のメッセージを送信する＜ステップＳ１３＞。
【００９０】
この＜ステップＳ１１＞〜＜ステップＳ１３＞を踏むことにより、サーバ３１側において選局者リスト登録請求処理を終了する。
【００９１】
続いて、選局者リスト登録処理を図１６の手順で行う。すなわち、ユーザが登録承認情報を待っている＜ステップＳ２１＞。
【００９２】
登録請求を承認しているかチェックする＜ステップＳ２２＞。
【００９３】
ユーザである友達について承認した場合は、選局者ＩＤを選局者リストに登録する＜ステップＳ２３＞。
【００９４】
この＜ステップＳ２１＞〜＜ステップＳ２３＞を踏むことにより、サーバ３１側において選局者リスト登録処理を終了する。
【００９５】
次に、特定ユーザ（テレビジョン受像機３２Ａの操作者）や不特定多数のユーザ（テレビジョン受像機Ｘ３２の操作者）からの選局情報ａがサーバ３１に届いた場合に、選局者の選局の検知処理を開始する。サーバ３１が選局情報を受信してから、他の選局者に選局情報を送信するまでのフローを図１７を参照して説明する。
【００９６】
サーバで選局情報の受信を待つ＜ステップＳ３１＞。
【００９７】
チャンネル情報が届いた場合、選局情報から選局者のＩＤを抽出する＜ステップＳ３２＞。
【００９８】
取得した送信者ＩＤによりサーバに登録されている選局者リストを参照する＜ステップＳ３３＞。
【００９９】
選局者リストに登録したユーザであれば、選局したチャンネル情報を抽出する＜ステップＳ３４＞。
【０１００】
選局者が違う地域にいる場合は、チャンネルコードが違うので、選局者リストの地域コードにより、チャンネルコード変換を行う。変換が成功した場合、他の選局者が所在する地域コードにより送信する＜ステップＳ３５＞。
【０１０１】
選局者リストに登録した友達にチャンネル情報を送信する＜ステップＳ３６＞。
【０１０２】
この＜ステップＳ３１＞〜＜ステップＳ３６＞を踏むことにより選局者リストに登録した選局者である友達に選局情報を送信することができる。
【０１０３】
これにより、例えばTANAKAさんは、SAITOさんを、選局者リスト登録したものとすると、SAITOさんは、例えば４チャンネルから６チャンネルに切り替えたとき、６チャンネルを選局した情報をTANAKAさんのテレビジョン受像機側に提示（表示）する。
【０１０４】
ここで、選局ガイド情報により選局者の選局を追従した結果を他の選局者に送信するような選局連鎖により提示する場合には、例えば図６に示すように、SUZUKIさんが、例えば1チャンネルに選局した場合、その選局情報をTANAKAさんに対して直接に選局ガイド情報として配信することができる。一方、ETOさん、YAMAJIさん、SAITOさんがSUZUKIさんの選局ガイド情報に基づき追従した際に、それぞれがTANAKAさんに対して同じ選局情報を提示することができる。
【０１０５】
このように、あるユーザの選局ガイド情報に対して、選局者である友達が何人追従したかの選局連鎖ガイド情報を提示することができる。
【０１０６】
この選局連鎖により提示されるデータの構造は、例えば図２３に示すように、自分の選局者ＩＤｙとして「TANAKA」、選局情報ａとして「１」および追従先ｚ１として「SUZUKI」，「ETO」，「YAMAJI」および「SAITO」を提示することができる。
【０１０７】
また、あるユーザの選局情報を受信すると、図１８に示すように、選局連鎖処理を開始する。すなわち、図６に示す連鎖機能に従い選局者の選局ガイド情報を表示する＜ステップＳ４１＞。
【０１０８】
選局ガイド情報に基づき追従したかをチェックする＜ステップＳ４２＞。
【０１０９】
追従した場合、選局者ＩＤを抽出する＜ステップＳ４３＞。
【０１１０】
そして、抽出した選局者ＩＤを送信データの追従先リストに登録する＜ステップＳ４４＞。
【０１１１】
選局情報を送信する＜ステップＳ４５＞。
【０１１２】
この＜ステップＳ４１＞〜＜ステップＳ４４＞を踏むことにより選局連鎖を機能させることができる。ここで、選局連鎖により、起源が同一で経路が別の複数のガイド情報を表示することになる場合がある。重複するガイド情報を何度も表示しないようにするには、例えば、追従先の起源ユーザのIDと選局時刻をキーとして各ガイド情報を比較することにより、同一起源のガイド情報群を同一視することができ、ひとつだけ表示することができる。
【０１１３】
また、選局連鎖情報を表示する二つの例として、図２５（ａ）または（ｂ）に示すように、例えば、TANAKAさんに対して、SUZUKIさんが起源の連鎖ガイド情報（最長経路のもの）を文字数や文字の大きさに応じてダイアログボックスのサイズを異ならせて表示することができる。
【０１１４】
また、間接的な選局結果を表示する選局連鎖に対して、ガイド元に対して、選局者の何人が追従したかという選局フィードバックがなされる。
【０１１５】
この選局フィードバックについて、図２１に示すステップで行う。すなわち、
選局ガイド情報に対する追従した結果を待っている＜ステップＳ５１＞。
【０１１６】
選局ガイド情報の追従した結果により、自分と同じチャンネルに切り替えたかをチェックする＜ステップＳ５２＞。
【０１１７】
切り替えた場合は、切り替えた選局者ＩＤを抽出する＜ステップＳ５３＞。
【０１１８】
そして、抽出した選局者ＩＤを追従者ＩＤとして、サーバでフィードバックデータに追加する＜ステップＳ５４＞。
【０１１９】
この＜ステップＳ５１＞〜＜ステップＳ５４＞を踏むことにより選局フィードバックを機能させることができる。
【０１２０】
なお、このフィードバックデータの構成例として、図１９に示すように、選局者ＩＤｙとしての「SUSUKI」、追従数αとしての「２」、追従者ＩＤｚとしての「ETO」および「WATANABE」の組み合わせである。
【０１２１】
そして、例えばETOさん，WATANABEさんが追従先である場合は、図２４に示すように、その選局状況を追従元の例えばTANABEさん側へ提示する。
【０１２２】
また同時に、サーバ３１の選局フィードバック記録部７１により、あるユーザの選局ガイド情報に対して、選局者である友達が何人が追従したかを記録する。
【０１２３】
更に、サーバ３１の選局情報蓄積部７６から、各ユーザのテレビジョン受像機３２Ａ，３２Ｂ〜３２Ｎ，３２Ｚが過去（例えば一日単位）にチャンネルを切り替えた時刻の状況を提示するよう作用する。例えば図２６に示すように、切り替えた時刻γ１として「2008/10/10/120010」、選局者ＩＤγ２として「SUZUKI」、
チャンネルＩＤγ３として「１」、チャンネル名γ４として「×××ＴＶ」、ＥＰＧ情報γ５として「ニュース」というように、表示画面５１にＯＳＤ表示することができる。
【０１２４】
また、この図２６に示す時刻γ１〜ＥＰＧ情報γ５は、図１２および図１３に示すスクロールアップガイダンスを生成する場合に蓄積データとして用いる。
【０１２５】
次に、選局ガイド情報の選択結果に基づいて、選局者リストの選局者優先順位を調整する動作サーバから選局者リストに登録した友達に同時に送信する場合もあるので、だれの選局情報を優先的にユーザに提示するのか、選局者リスト中の優先順位を決める必要がある。
【０１２６】
最初に、ガイドシステムは選局者リストの登録順で選局者に選局情報を提示するが、選局者は他の選局者の選局に対して、同じ趣味を持つ選局者の選局に追従する場合が多いことを利用して、追従結果により、選局者リストの選局者優先順位を自動的に調整することができる。
【０１２７】
選局ガイド情報に対する興味を推定することにより、選局者リスト中の優先順位を調整する手順について図２２を参照して説明する。
【０１２８】
選局ガイド情報に対する興味を収集する処理を行う＜ステップＳ６１＞。
【０１２９】
この興味を収集する手法としては、例えば、追従行動と追従後の視聴継続行動の２つの行動が成立した場合に、興味があると判断する。
【０１３０】
具体的には、まず、SUZUKIさんが、選局ガイド情報によりTANAKAさんと同じチャンネルに切り替えた（すなわち、追従した）かを判定する。追従した場合は、そのまま一定時間（例えば、5分）以上視聴したかを判定する。２つの条件に合致した場合、SUZUKIさんは、TANAKAさんの選局ガイド情報に興味があるものと判断する。一方、最初にTANAKAさんの選局ガイド情報に追従しない場合や、追従したとしてもその後一定時間以内で他のチャンネルに切り替えた場合には、SUZUKIさんはTANAKAさんの選局ガイド情報に興味がないものと判断する。
【０１３１】
次に、上記の判断結果に従って、興味がある場合に、次のステップＳ６３へ進み、興味がない場合は終了する＜ステップＳ６２＞。
【０１３２】
選局者の優先順位を選局者リスト中で優先度を上昇させる＜ステップＳ６３＞。
【０１３３】
以上の＜ステップＳ６１＞〜＜ステップＳ６３＞の処理を繰り返すことで、興味を持つガイド情報を優先的に提示することが可能になる。
【０１３４】
すなわち、図１３で示すように、例えばTANAKAさんのテレビジョン受像機３２Ａの表示画面５１に、例えば最新の情報としてSAITOさんが４チャンネルに切り替えました。その前の時刻情報として、YAMAJIさんが５チャンネルに切り替えました。情報が多い場合には、スクロール表示することができる。
【０１３５】
併せて、情報全般に亘って、時間軸を基準にした表示形式とすることができる。
【０１３６】
図１３で示すように、例えばTANAKAさんのテレビジョン受像機３２Ａの表示画面５１に、例えばリアルタイム情報ｘ１と情報履歴ｘ２とを時間軸に上から順に並べ、且つスクロール表示することができる。この場合に、例えば図１２に示すように選局者別、あるいはグループ別、会社別に、異なった色つきで表示したり、リアルタイムの選局者の選局情報に対して、テレビジョンの電源をオフしている間の選局者の選局履歴を灰色で表示する、TANAKAさんはリモコンで情報を参照したり、追従したりすることが可能である。
【０１３７】
このような機能を実現するため、制御モジュール５０の選局ガイド情報生成部５７において、図４に示すように、選局履歴取得モジュール５７ｄにより選局情報蓄積部７６から蓄積した情報を取得して、当日の選局情報をインターフェース生成モジュール５７ｂに渡すことで、ユーザはスクロールアップガイダンスにより古い情報も参照することが可能である。
【０１３８】
このように、本発明の選局ガイドシステムおよび方法によれば、選局ガイド情報は二つの提示機能を備えている。ユーザが自分の判断により、選局者の選局に追従するかどうかを選択するダイアログ方式選局ガイド機能と、選局者の選局情報を一覧で閲覧するスクロールアップガイダンス機能である。
【０１３９】
また、ダイアログ選局ガイド方式提示機能において、選局連鎖と選局フィードバックを提示することができる。選局連鎖を提示することにより、ある選局の影響度を形象的に把握することができる。選局連鎖の情報を把握することにより、多くの選局者が関心を持つ番組を選局できる。さらに、選局者同士間に選局状態を常に把握することができる。例えば、Ａさんは常にＢさんの選局情報を追従することが分かる。一方、選局フィードバックを提示することにより、自分の選局に対して、他の選局者が追従したか確認することができる。また、自分の好きな番組に対して、同じ興味を持つ選局者である友達が何人いるかを知ることができる。
【０１４０】
スクロールアップガイダンス機能は、ダイアログ選局方式より自由度が高くなり、一目瞭然で選局者リストに登録したグループを確認することができる、さらに過去の選局行動を参照できる効果がある。
【０１４１】
本発明の第１の実施形態によるテレビジョン選局ガイドシステム３０によれば、
テレビジョン受像機３２Ａの操作によりユーザＩＤ登録を受け付けるコンピュータサーバ３１を備え、コンピュータサーバ３１は、ユーザＩＤおよびテレビジョン受像機３２Ａのチャンネル操作により得られた選局情報ａを受信する受信部７８と、選局情報ａをテレビジョン受像機３２Ａの受信地域に対応したチャンネル地域コードに変換するチャンネル地域コードの変換手段７７と、選局情報ａに基づいて、選局ガイドデータｂを記憶する選局ガイドデータ記憶部７５と、テレビジョン受像機３２Ａに選局ガイドデータｂおよび変換されたチャンネル地域コードを、テレビジョン受像機３２Ａに送信する送信部７８を備え、
テレビジョン受像機３２Ａは、選局情報ａを前記コンピュータサーバ３１に送信する送信部５８と、選局ガイドデータｂおよびチャンネル地域コードを受信する受信部７８と、選局ガイドデータｂから選局ガイド情報を生成する選局ガイド情報生成部５７と、選局ガイド情報ｂを表示可能に設けられる表示手段５１を備えたことを特徴とする構成である。
【０１４２】
また、本発明の第１の実施形態によるテレビジョン選局ガイド方法によれば、
コンピュータサーバ３１がテレビジョン受像機３２Ａの操作によりＩＤ登録を受け付けるステップと、コンピュータサーバ３１の受信部７８が、テレビジョン受像機３２Ａからの選局情報ａを受信するステップと、コンピュータサーバ３１に設けられ、チャンネル地域コードを変換する変換手段７７が、ＩＤ登録を受け付けたテレビジョン受像機群３２の受信地域に対応してチャンネル地域コードｙ６を変換するステップと、コンピュータサーバ３１が、テレビジョン受像機３２Ａに、選局情報ａに基づく選局ガイドデータｂおよび変換されたチャンネル地域コードを、前記テレビジョン受像機３２Ａに送信するステップと、テレビジョン受像機３２Ａの受信部５８が、コンピュータサーバ３１が送信した選局ガイドデータｂおよびチャンネル地域コードを受信し、送信部５８がこの受信した選局ガイドデータｂをチャンネル地域コードｙ６に対応するチャンネルに送信するステップと、テレビジョン受像機３２Ａの表示手段５１により、選局ガイド情報ｂを表示するステップと、を具備することとを特徴とするテレビジョン選局ガイド方法である。
【０１４３】
このような、テレビジョン選局ガイドシステムおよびテレビジョン選局ガイド方法によれば、ネットワーク上のユーザは単に普段のリモコン操作で選局することにより、選局情報をサーバに自動送信して、サーバで各選局者の選局情報を収集することができる。そして、収集した選局情報を、ユーザの中から登録した選局者リストを参照し、選局者同士間で相互に送受信することにより、それぞれが操作するテレビジョンの表示手段へ選局情報を提示することができるものであるから、選局者である友達が興味を持つ番組を知ることができる。
【０１４４】
また、グループ内では、選局ガイド情報の提供者とも利用者ともなり得ることから、提供者としての選局者は、選局情報を提供していることを意識する必要はなく、自身の目的のために選局操作を行えば、選局情報をタイムリに参考にすることができると共に、後日に同じ視聴する番組に対して、選局者である友達同士が感想を共有することもできる。
【０１４５】
更に、この選局情報は、各選局者が視聴する地域にかかわらず選局者間でお互いに興味を持つ番組を知ることができる。
【０１４６】
［第２の実施形態］
次に、本発明の第２の実施形態であるコンテンツ操作ガイドシステムについて図２７を参照して説明する。
【０１４７】
図２７は、本発明の第２の実施形態におけるコンテンツ操作ガイドシステムの概要を示すブロック構成図である。
【０１４８】
図２７に示すコンテンツ操作ガイドシステム１００は、第１の実施形態に示す選局ガイドシステム３０に付加した構成を採用することにより、選局ガイドシステム３０単独構成のものに比べて、選局ガイド機能を一層拡張した構成のものである。
【０１４９】
このコンテンツ操作ガイドシステム１００は、例えばテレビジョン受像機、ＤＶＤレコーダー、ＰＣなど表示手段を有する機器１０１とコンピュータサーバ（以下、サーバという。）１０２とから構成される。
【０１５０】
以下、テレビジョン受像機１０１を例示して説明する。
【０１５１】
テレビジョン受像機１０１は、コンテンツ操作情報蓄積部１０３とコンテンツ情報送受信部１０４とから構成される。
【０１５２】
サーバ１０２は、選局者の操作検知部１０５とコンテンツ操作情報蓄積部１０６および送受信部１０７とから構成される。
【０１５３】
コンテンツ情報生成部１０３は、コンテンツ情報ｄとして、テレビ番組内容ｄ１、動画配信内容ｄ２、ＤＶＤ再生情報ｄ３および録画コンテンツ情報ｄ４を生成し送信するものである。
【０１５４】
更に録画コンテンツ情報ｄとしては、更には音楽ＣＤ情報およびユーチューブ情報等表示可能な媒体であればよい。
【０１５５】
コンテンツ情報送受信部１０４は、サーバ１０２へコンテンツ操作情報ｄを送信する一方、サーバ１０２からコンテンツガイド情報ｅを受信する機能を有する。
【０１５６】
サーバ１０２の選局者の操作検知部１０５は、テレビジョン受像機１０１の操作部（図示せず）を操作したことを検知するもので、その操作がコンテンツ別に検知する。また、そのコンテンツ情報を基にコンテンツガイド情報ｄが図示しない生成手段により送信される。
【０１５７】
コンテンツ操作情報蓄積部１０６は、コンテンツガイド情報ｅを蓄積し、必要に応じて、あるいは要求によりテレビジョン受像機１０１側へ送信することができるようになっている。
【０１５８】
送受信部１０７は、テレビジョン受像機１０１からコンテンツ操作情報ｄを受信すると共に、このコンテンツ操作情報ｄに基づき生成されるコンテンツガイド情報ｅをテレビジョン受像機１０１側へ送信する送受信機である。なお、この送受信部１０７は、送信部と受信部とをそれぞれ別々に設けても差し支えない。
【０１５９】
テレビジョン受像機１０１は、電源をずっとオンにしていなくても、コンテンツ情報蓄積部１０６で蓄積されたコンテンツ操作情報ｄを取得することができ、過去一日の友人のコンテンツ操作履歴を確認できる。
【０１６０】
また、コンテンツ操作ガイドシステム１００を構成するにあたって、コンテンツガイド機能部分組立体に選局ガイドシステム３０を一体的に組み入れて構成することができるが、共用できる機能は共用化させて組立て構成することもできる。
【０１６１】
そして、こみの構成により、図示しないが、別途機能選択切り換え手段を設けて、選局ガイドシステム３０とコンテンツ操作ガイドシステム１００とを選択的に用いることもできる。
【０１６２】
その他の構成は、第１の実施形態に示す構成と同様であるので説明を省略する。
【０１６３】
次に、コンテンツ操作ガイドシステム１００の作用について図２７を参照して説明する。
【０１６４】
コンテンツの配信にあたって、例えば動画配信の場合、テレビジョン受像機１０１のコンテンツ情報送受信部１０４において、自分が見ている動画のＵＲＬ（動画を一意に特定できる。例えば、下記に示す様なＵＲＬ（１）を取得する。
（http://some.video.site/watch?movieId=o7a893w4jdo8w3du）…（１）
一般的にＤＶＤレコーダーでは、番組を録画する際、ＥＰＧ情報を放送波やインターネットから取得し、録画済タイトルの管理情報に付加することができる。
【０１６５】
従って、録画済み番組を再生したときに、テレビジョン受像機１０１側のコンテンツ情報送受信部１０４において、録画した番組のチャンネル名称と番組名称を解析し、コンテンツ情報を取得することができる。
【０１６６】
テレビジョン受像機１０１を例示して説明したが、ＤＶＤ再生装置やＰＣ等の表示手段を有する機器であってもよいことはもちろんである。
【０１６７】
本発明の第２の実施形態によるコンテンツ操作ガイドシステム１００によれば、
表示手段を有する機器の操作によりＩＤ登録を受け付けるコンピュータサーバ３１を備え、コンピュータサーバ３１は、機器の受像操作により得られたコンテンツ操作情報ｄを受信する受信部１０７と、コンテンツ操作情報ｄに基づいて、コンテンツガイド情報ｅを記憶するコンテンツ操作情報蓄積部１０６と、ＩＤ登録を受け付けた機器側へコンテンツガイド情報ｅを送信する送信部１０７を備え、テレビジョン受像機３２Ａは、コンテンツガイド情報ｅを受信して、当該コンテンツガイド情報ｅを受信するコンテンツ情報送受信部１０４と、受信したコンテンツガイド情報ｅからコンテンツガイド情報生成部１０３と、当該コンテンツ情報生成部１０３で記憶したコンテンツガイド情報ｂを表示可能に設けられる表示手段５１を備えたことを特徴とするコンテンツ操作ガイドシステムが提供できる。
【０１６８】
また、本発明の第２の実施形態によるコンテンツ操作ガイド方法によれば、コンピュータサーバ３１が表示手段を有する機器の操作によりＩＤ登録を受け付けるステップと、コンピュータサーバの受信部１０７が、機器からのコンテンツ操作情報ｄを受信するステップと、コンピュータサーバ３１が受信するコンテンツ操作情報ｄに基づいて、送信部がコンテンツガイド情報ｅを送信するステップと、機器の受信部が、コンピュータサーバ３１が送信したコンテンツ操作情報ｄを受信するステップと、機器の表示手段により、受信したコンテンツ情報を表示するステップと、を具備することを特徴とするコンテンツ操作ガイド方法を提供できる。
【０１６９】
したがって、選局者である友達のコンテンツ操作情報を取得することで、その友達のコンテンツに対する行動を把握することができる。
【産業上の利用可能性】
【０１７０】
本発明のテレビジョン選局ガイドシステムおよびコンテンツ操作ガイドシステム並びにそのガイド方法によれば、選局ガイド情報あるいはコンテンツ操作ガイド情報に基づく拡張機能として、友達間などの人間系でのコミュニケーション機能の向上効果が期待できる。また、視聴者に対する監視機能、とりわけ子供や高齢者の行動監視などにも役立てることが可能である。
【符号の説明】
【０１７１】
３０  テレビジョン選局ガイドシステム
３１  コンピュータサーバ
３２  テレビジョン受像機群
３２Ａ，３２Ｂ…３２Ｎ，３２Ｘ  テレビジョン受像機
５０  制御モジュール
５１  表示画面
５２  操作部
５４  選局情報処理部
５５  ＥＰＧ情報記憶部
５６  ザッピング除去手段  
５７  選局ガイド情報生成部
５７ａ  選局ガイド受信モジュール
５７ｂ  インターフェース生成モジュール
５７ｃ  スクロール制御モジュール
５７ｄ  選局履歴取得モジュール
５８  選局情報送受信部
５９  友達ＩＤ登録部
６１  アンテナ
６２  チューナ回路
６３  ＶＩＦ回路
６４  ビデオ処理回路
６６  リモコン受光器
６７  ネットワークＩＦ
７１  選局フィードバック記録部
７２  選局連鎖記録部
７３  友達の選局検知部
７４  友達リスト管理部
７５  選局ガイドデータ記憶部
７６  選局情報蓄積部
７７  チャンネル地域コードの変換手段
７８  選局情報送受信部
１００  コンテンツ操作ガイドシステム
１０１  テレビジョン受像機
１０２  コンピュータサーバ
１０３  コンテンツ情報生成部
１０４  コンテンツ情報送受信部
１０５  選局者の操作検知部
１０６  コンテンツ操作情報蓄積部
１０７  情報送受信部
Ｒ  リモートコントローラ
ａ  選局情報
ｂ  選局ガイドデータ
ｄ  コンテンツ操作情報
ｅ  コンテンツガイド情報
【図１】
2010258986.tif 000003
【図２】
2010258986.tif 000004
【図３】
2010258986.tif 000005
【図４】
2010258986.tif 000006
【図５】
2010258986.tif 000007
【図６】
2010258986.tif 000008
【図７】
2010258986.tif 000009
【図８】
2010258986.tif 000010
【図９】
2010258986.tif 000011
【図１０】
2010258986.tif 000012
【図１１】
2010258986.tif 000013
【図１２】
2010258986.tif 000014
【図１３】
2010258986.tif 000015
【図１４】
2010258986.tif 000016
【図１５】
2010258986.tif 000017
【図１６】
2010258986.tif 000018
【図１７】
2010258986.tif 000019
【図１８】
2010258986.tif 000020
【図１９】
2010258986.tif 000021
【図２０】
2010258986.tif 000022
【図２１】
2010258986.tif 000023
【図２２】
2010258986.tif 000024
【図２３】
2010258986.tif 000025
【図２４】
2010258986.tif 000026
【図２５】
2010258986.tif 000027
【図２６】
2010258986.tif 000028
【図２７】
2010258986.tif 000029
【図２８】
2010258986.tif 000030
【図２９】
2010258986.tif 000031
【図３０】
2010258986.tif 000032
【図３１】
2010258986.tif 000033